(57)【要約】【課題】製造コストを大幅にアップさせることなく、着火した際にライターから音声が出力されるようにする。【解決手段】ライター１の着火操作部３を下方に向けて押圧操作すると、内箱７ｂが押圧されて下方へ移動しハンマー１３が外箱７ａに装着された圧電素子１０を打撃して着火のための高電圧が発生すると共に、圧電素子１０の下方に配設した音声データ内蔵の電子チップ１６のスイッチ１６′を押圧してスピーカー１８から音声が出力される。【選択図】          図２
2004340478.tif 000002
【特許請求の範囲】
【請求項１】
内部に液化燃料が封入された本体ケースと、上記液化燃料が気化されて生成される燃料ガスを外部に噴出させるノズルと、該ノズルから噴出される燃料ガスへの着火時に操作されると共に上記本体ケースに対して所定の方向へ移動自在に支持された着火操作部と、該着火操作部の操作によって上記ノズルから噴出される燃料ガスに着火する着火手段とを備えたライターであって、
上記着火手段は、外箱と、該外箱に対して上下方向に移動自在に支持された内箱と、上記外箱に装着された圧電素子と、該圧電素子と一定の間隔を確保した位置に配置されたハンマーと、上記内箱と上記ハンマーとの間に内装され上記内箱を上方に付勢するバネとを備え、
上記圧電素子の下方又は上方に音声データ内蔵の電子チップを配設し、
上記電子チップのスイッチに対する操作に基づいて音声を出力するスピーカーを配設し、
上記着火操作部を下方に向けて押圧操作すると、上記内箱が押圧されて下方へ移動し上記ハンマーが上記圧電素子を打撃して着火のための高電圧が発生すると共に、上記電子チップのスイッチが押圧されて上記スピーカーから音声が出力されるようにした
ことを特徴とするライター。
【発明の詳細な説明】
【０００１】
【発明の属する技術分野】
本発明は、ライターに関して、着火という本来の機能だけでなく、これまでのライターには全く見られなかった新しい機能を持たせようとするものである。詳しくは、着火した際に音声が出力されるようにする技術分野に関する。
【０００２】
【従来の技術】
市販されているライターには１００円前後の使い捨てのものが多い。そして、このような安価なライターにあっては、当然のことながら製造コストも低く抑えなければならない。そのため、安価なライターには、本来の機能である着火機能以外に、コストアップにつながる別の機能を持たせたものはなかった。
【０００３】
【発明が解決しようとする課題】
ところが、使い捨てライターの市場においても競争が厳しくなり、市場において優位を保つためには、他の使い捨てライターにはない特色を持たせる必要が出てきた。すなわち、安価な使い捨てライターであっても、着火する度に楽しめる機能や広告宣伝媒体としての機能を求められることがある。なぜなら、自分で買ったライターの場合は、着火の度に、例えば「グッドモーニング」などの言葉や音楽がライターから音声で発せられれば楽しいし、広告宣伝のために配るライターの場合は、着火の度に、コマーシャルの言葉や音楽がライターから音声で発せられれば宣伝効果が大きいからである。
【０００４】
しかし、複雑な電子回路や電源をＯＮ／ＯＦＦするための複雑なスイッチなどが別個に必要になることもあって、製造コストを低く抑えなければならない安価な使い捨てライターにおいては、ライターから音声が発せられるようにしたものはなかった。すなわち、着火の度に、「グッドモーニング」などの言葉や音楽、コマーシャルの言葉や音楽がライターから音声で発せられるものはなかった。
【０００５】
そこで、本発明は、上記の課題を解決するためになされたもので、その目的とするところは、製造コストを大幅にアップさせることなく、着火した際にライターから音声が出力されるようにした安価な使い捨てライターを提供することにある。
【０００６】
【課題を解決するための手段】
本発明ライターは、上記した課題を解決するために、ライターの着火手段を、外箱と外箱に対して上下方向に移動自在に支持された内箱と外箱に装着された圧電素子と圧電素子と一定の間隔を確保した位置に配置されたハンマーと内箱とハンマーとの間に内装され内箱を上方に付勢するバネとで構成し、圧電素子の下方又は上方に音声データ内蔵の電子チップを配設し、電子チップのスイッチに対する操作に基づいて音声を出力するスピーカーを配設し、着火操作部を下方に向けて押圧操作すると、内箱が押圧されて下方へ移動しハンマーが圧電素子を打撃して着火のための高電圧が発生すると共に、電子チップのスイッチが押圧されてスピーカーから音声が出力されるようにしたものである。
【０００７】
そのため、本発明にあっては、ライターの着火操作をした際に、内箱とハンマーとの間に内装されたバネによって上方に付勢されている内箱が押圧されて下方へ移動しハンマーが外箱に装着された圧電素子を打撃して着火のための高電圧が発生すると共に、圧電素子の上方又は下方に配設した音声データ内蔵の電子チップのスイッチが押圧されることによってスピーカーから音声が出るようになっているので、複雑な電子回路や電源をＯＮ／ＯＦＦするための複雑なスイッチなどを別個に必要としない。
【０００８】
したがって、本発明によれば、製造コストを大幅にアップさせることなく、着火した際にライターから音声が出る安価なライターを提供することができる。
【０００９】
【発明の実施の形態】
以下に、本発明ライターの実施の形態について、添付図面を参照しながら説明する。
【００１０】
図１及び図２に示すように、ライター１は、ＡＳやＡＢＳ等の樹脂材料によって形成された本体ケース２と、該本体ケース２の上端に沿って所定の角度の範囲で回動自在に支持された着火操作部３とを有している。
【００１１】
尚、以下の説明において、方向について述べるときは、図１及び図２における上下の方向をそのまま上方及び下方、左方向を前方、右方向を後方というものとする。
【００１２】
本体ケース２は、上端が開放され下端が閉じられた略縦長の扁平な容器状に形成され、図１及び図２に示すように、内部が隔壁２ａによって略上下に位置する２つの空間４、５に分割されている。下側の空間４は液化燃料が封入されるタンク部として形成されている。上側の空間５は前側に位置するノズルユニット配置凹部５ａと後側に位置する着火手段配置凹部５ｂとに分けられており、ノズルユニット配置凹部５ａ及び着火手段配置凹部５ｂはともに上方に開口され、本体ケース２の上端まで形成されている。
【００１３】
ノズルユニット配置凹部５ａにはタンク部４に封入された液化燃料を気化して燃料ガスとして噴出させるノズルユニット６が配置され、着火手段配置凹部５ｂには着火手段７が配置されている。
【００１４】
本体ケース２の上端部の前側にはノズルユニット６の後述するノズルを覆うように金属製の風防８が取り付けられている。
【００１５】
本体ケース２の上端部の前端部には、上方及び前方に開口された配置凹部２ｂが形成され、該配置凹部２ｂが風防８によって囲まれて着火空間２ｃとされる。
【００１６】
本体ケース２の着火空間２ｃから後方の部分の上縁９は、側方から見て後方へ行くに従って下方へ変位する円弧状に形成されている。
【００１７】
ノズルユニット６は、金属材料から成り異なる形状を有する複数の筒状体と弾性を有する材料から成るパッキン等によって構成されており、図１及び図２に示すように、弁機構６ａと、該弁機構６ａから上方に延びるノズル６ｂと、弁機構６ａから下方に延びる燃料パイプ６ｃ等を有する。
【００１８】
ノズルユニット６はノズル６ｂを除いた部分がノズルユニット配置凹部５ａ内に配置され、ノズル６ｂが着火空間２ｃ内に位置されている。燃料パイプ６ｃは隔壁２ａを貫通してタンク部４内に達し、下端がタンク部４の略最下部に位置している。弁機構６ａの一部とノズル６ｂは、ともに上下に移動可能にされ、図示しないバネ部材によって下方へ付勢されている。
【００１９】
ノズルユニット６は、バネ部材の付勢力によって通常は弁機構６ａ及びノズル６ｂが移動範囲における下端に位置し、弁機構６ａによってタンク部４と連通した液化燃料の供給路が閉塞されている（図１参照）。弁機構６ａがノズル６ｂとともに上方に移動することによって液化燃料の供給路が開放され（図２参照）、タンク部４内の液化燃料が気化されて燃料ガスがノズル６ｂから噴出される。ノズルユニット６には、ノズル６ｂからの燃料ガスの量を調節して燃焼時の炎の大きさを変えるための炎調節レバー６ｄが設けられている。
【００２０】
本体ケース２の上端部でノズル６ｂの後方には、着火空間２ｃと着火手段配置凹部５ｂとを仕切るための仕切板５ｃが配置されている。
【００２１】
着火手段７は、図１及び図２に示すような構成になっている。すなわち、先ず外箱７ａがあり、外箱７ａの上部内周側には内箱７ｂが内装されている。そして、内箱７ｂは、外箱７ａに対して上下方向に移動自在に支持されており、内箱７ｂは、後述の駆動バネによって上方へ付勢され、外箱７ａから上方に大きく突出した状態になっている（図１参照）。
【００２２】
外箱７ａの内部の下方側には、衝撃を加えることによって放電電圧（高電圧パルス）を発生させる圧電素子１０が装着されている。そして、この圧電素子１０の上側には当て金１１が配置されている。また、圧電素子１０の外箱７ａから下方側にはみ出た部分の下側には受け金１２が取り付けられている。
【００２３】
上記当て金１１の上方には、当て金１１と一定の間隔を確保した状態でハンマー１３が配置されている。このハンマー１３と内箱７ｂとの間には駆動バネ１４が内装されると共に、内箱７ｂと外箱７ａとの間にはリセットバネ１５が内装されている。なお、内箱７ｂは、通常は、ハンマー１３と内箱７ｂとの間に内装された駆動バネ１４によって上方へ付勢されている。
【００２４】
ところで、着火手段７が配置される着火手段配置凹部５ｂの底面には、圧電素子１０の下側に取り付けた受け金１２に接近させた状態で電子チップ１６が取り付けられており、また、図示しないが電源としてボタン電池も取り付けられている。そして、この電子チップ１６には音声データが内蔵されていると共に、機械式のスイッチ１６′が組み込まれている。
【００２５】
なお、着火手段配置凹部５ｂの底面には、ゴム等の緩衝材で形成されたＯリング１７が電子チップ１６の周りに取り付けられている。
【００２６】
電子チップ１６からは、本体ケース２に取り付けられたスピーカー１８に向かってリード１９が延びている。
【００２７】
また、圧電素子１０からは高圧リード２０が上方へ向かって延びている。高圧リード２０は、中間の位置で前方に屈曲され、先端が仕切板５ｃを貫通してノズルユニット６のノズル６ｂの先端の近傍に位置されている。着火操作部３を操作して本体ケース２の上端に沿って回動させると（図２参照）、後述するように、内箱７ｂが下方へ移動されることにより高圧リード２０の先端から放電され、この放電によってノズル６ｂから噴出される燃料ガスに着火される。
【００２８】
図１及び図２に示すように、着火操作部３は、閉塞部３ａと、該閉塞部３ａの後端に連続し押圧される押圧部３ｂと、該押圧部３ｂの前端部から略下方へ突出された脚部３ｃとを有する。押圧部３ｂの下縁２１は、本体ケース２の上縁９に対応して、側方から見て後方へ行くに従って下方へ変位する円弧状に形成されている。
【００２９】
閉塞部３ａの周面には金属カバー２２が取り付けられている。脚部３ｃの下端部には回動支点部３ｄが設けられている。脚部３ｃの中間部には、それぞれ後方へ向かって突出し側方から見て略横倒Ｊ字状をした板状の押圧レバー２３が一体に設けられている。押圧レバー２３の先端部には押圧作用部２４が連結されている。
【００３０】
着火操作部３は、脚部３ｃが本体ケース２の内部において支持されることによって、本体ケース２に回動可能に支持される（図１及び図２参照）。着火操作部３が本体ケース２に支持された状態においては、着火操作部３の押圧部３ｂの下縁２１と本体ケース２の上縁９とが対応して位置される（図１参照）。
【００３１】
着火操作部３の押圧作用部２４は、図１及び図２に示すように、常に、着火手段７の内箱７ｂの上面に当接されている。
【００３２】
本体ケース２の上端寄りの位置にはノズル開閉レバー２５が位置されている（図１及び図２参照）。ノズル開閉レバー２５は、ノズル６ｂの下端部に連結された作用部２５ａと、後方に延び略横倒Ｌ字状を為す被押圧片２５ｂと、作用部２５ａと被押圧片２５ｂとの間に設けられた支点部２５ｃとから成る。ノズル開閉レバー２５は、支点部２５ｃを支点として本体ケース２に回動可能な状態で支持されている。ノズル開閉レバー２５の被押圧片２５ｂの後端部は上方へ突出された被押圧部２５ｄとして設けられ、該被押圧部２５ｄは着火操作部３の押圧レバー２３の真下に位置されている。
【００３３】
以上のように構成されたライター１において、燃料ガスへの着火は以下のようにして為される。
【００３４】
例えば、図１に示すように、本体ケース２を片手で把持し、親指で着火操作部３の押圧部３ｂを後ろ斜め下方へスライドさせるように押圧すると、着火操作部３が回動支点部３ｄ、３ｄを回動支点として図１の矢印Ａ方向へ回動する。着火操作部３の回動に伴い閉塞部３ａによって覆われていた風防８の火口８ａが開放される（図２参照）。このとき、駆動バネによって上方に付勢されている着火手段７の内箱７ｂが押圧レバー２３の押圧作用部２４によって下方へ押圧されて外箱７ａ内に入り込んで行く。同時に、着火操作部３の回動によって、ノズル開閉レバー２５の被押圧部２５ｄが押圧レバー２３によって下方へ押圧される。被押圧部２５ｄが押圧レバー２３によって下方へ押圧されると、ノズル開閉レバー２５が回動されて作用部２５ａが上方へ移動され、ノズルユニット６の弁機構６ａの一部及びノズル６ｂが上方へ持ち上げられて燃料ガスの供給路が開き、タンク部４内の液化燃料が燃料ガスとしてノズル６ｂから噴出する。
【００３５】
また、上記した着火操作部３の回動に伴う着火手段７の内箱７ｂの下方への移動によって、内箱７ｂとの間に駆動バネ１４が内装されているハンマー１３も下方へ移動する。その際、下方へ移動するハンマー１３は、圧縮された駆動バネ１４によってかなりの勢いで外箱７ａに装着された圧電素子１０の上側の当て金１１に当たるので、その衝撃により圧電素子１０が圧縮されて高電圧が発生し、高圧リード２０の先端から放電される。高圧リード２０の先端からの放電によってノズル６ｂから噴出する燃料ガスに着火される。
【００３６】
そして、上述したように、下方へ移動するハンマー１３が外箱７ａに装着の圧電素子１０の上側の当て金１１を勢いよく打撃すると、圧電素子１０が下方へ移動して圧電素子１０の下側に取り付けられた受け金１２が着火手段配置凹部５ｂの底面に配置された電子チップ１６の機械式のスイッチ１６′を押し込むことによりスイッチがＯＮの状態になり、リード１９によって電子チップ１６と電気的に接続されているスピーカー１８から音声が出力される。
【００３７】
ところで、上述したように、着火手段配置凹部５ｂの底面には、緩衝材で形成されたＯリング１７が電子チップ１６の周りに取り付けられている。そのため、圧電素子１０が下方へ移動して圧電素子１０の下側に取り付けられた受け金１２が着火手段配置凹部５ｂの底面に配置された電子チップ１６のスイッチ１６′を押し込んだ際にも、電子チップ１６の本体部に対しては強い力が加わらないので、電子チップ１６が壊れる心配がない。
【００３８】
それから、ライター１の消火であるが、以下のようにして為される。
【００３９】
すなわち、着火操作部３の操作を解除すると、内箱７ｂとハンマー１３との間に内装された駆動バネ１４によって着火手段７の内箱７ｂが上方へ移動されて元の位置に戻り、着火操作部３が図２の矢印Ｂ方向へ回動されて風防８の火口８ａが着火操作部３の閉塞部３ａによって閉塞される（図１参照）。このとき、着火操作部３の押圧レバー２３を介してノズル開閉レバー２５に作用していた力が解除されるため、ノズルユニット６の弁機構６ａの一部及びノズル６ｂが図示しないバネ部材の付勢力によって下方へ移動されて燃料ガスの供給路が閉じられ、ノズル６ｂの燃料ガスの噴出が停止されて消火される。
【００４０】
また、駆動バネ１４により内箱７ｂが上方へ移動して元の位置に戻ると、外箱７ａと内箱７ｂとの間に内装されたリセットバネ１５によって、内箱７ｂそしてハンマー１３も圧電素子１０から離れて元の位置に戻る。そして、圧電素子１０の下側に取り付けられた受け金１２が着火手段配置凹部５ｂの底面に配置された電子チップ１６から離れることにより、電子チップ１６のそれまで押し込まれていたスイッチ１６′も元の位置に戻ってスイッチがＯＦＦの状態になり、スピーカー１８からの音声が消える。
【００４１】
なお、上記実施の形態では、音声データ内蔵の電子チップを圧電素子の下方、すなわち、着火手段が配置される着火手段配置凹部の底面に取り付けたものを示したが、圧電素子の上方、例えば、着火手段の内箱の上面に音声データ内蔵の電子チップを取り付けて着火操作部の押圧作用部が電子チップに当接するようにしても良い。
【００４２】
また、上記実施の形態では、音声を発するスピーカーを、本体ケースに別個取り付けたものを示したが、本体ケースの一部を振動させるようにすることによって、ライターの本体ケースにスピーカーの役割を担わせることも可能である。
【００４３】
ところで、上記実施の形態において示した各部の具体的な形状及び構造は、何れも本発明を実施するに際して行う具体化のほんの一例を示したものに過ぎず、これらによって本発明の技術的範囲が限定的に解釈されることがあってはならないものである。
【００４４】
【発明の効果】
以上に記載したところから明らかなように、本発明ライターは、内部に液化燃料が封入された本体ケースと、液化燃料が気化されて生成される燃料ガスを外部に噴出させるノズルと、該ノズルから噴出される燃料ガスへの着火時に操作されると共に本体ケースに対して所定の方向へ移動自在に支持された着火操作部と、該着火操作部の操作によってノズルから噴出される燃料ガスに着火する着火手段とを備えたライターであって、着火手段を、外箱と外箱に対して上下方向に移動自在に支持された内箱と外箱に装着された圧電素子と圧電素子と一定の間隔を確保した位置に配置されたハンマーと内箱とハンマーとの間に内装され内箱を上方に付勢するバネとで構成し、圧電素子の下方又は上方に音声データ内蔵の電子チップを配設し、電子チップのスイッチに対する操作に基づいて音声を出力するスピーカーを配設し、着火操作部を下方に向けて押圧操作すると、内箱が押圧されて下方へ移動しハンマーが圧電素子を打撃して着火のための高電圧が発生すると共に、電子チップのスイッチが押圧されてスピーカーから音声が出力されるようにしたことを特徴とする。
【００４５】
そのため、本発明にあっては、ライターの着火操作をした際に、内箱とハンマーとの間に内装されたバネによって上方に付勢されている内箱が押圧されて下方へ移動しハンマーが外箱に装着された圧電素子を打撃して着火のための高電圧が発生すると共に、圧電素子の上方又は下方に配設した音声データ内蔵の電子チップのスイッチが押圧されることによってスピーカーから音声が出力されるようになっているので、複雑な電子回路や電源をＯＮ／ＯＦＦするための複雑なスイッチなどを別個に必要としない。
【００４６】
したがって、本発明によれば、製造コストを大幅にアップさせることなく、着火した際にライターから音声が出力される安価なライターを提供することができる。
【図面の簡単な説明】
【図１】図２と共に本発明の実施の形態を示すものであり、本図は着火操作部が操作される前の状態を示すライターの断面図である。
【図２】着火操作部が操作された状態を示すライターの断面図である。
【符号の説明】
１…ライター、２…本体ケース、３…着火操作部、６ｂ…ノズル、７…着火手段、７ａ…外箱、７ｂ…内箱、１０…圧電素子、１３…ハンマー、１４…駆動バネ（バネ）、１６…音声データ内蔵の電子チップ、１６′…スイッチ、１８…スピーカー
【図１】
2004340478.tif 000003
【図２】
2004340478.tif 000004